(57)【特許請求の範囲】
【請求項１】
食材を封入したパウチ（Ｐ）を下記箱体内に収容してなる食材収容箱体であって、
パウチ（Ｐ）は、箱体内に収容されたときに箱体下方コーナ部（Ｂ）に位置するパウチコーナ部（Ｃ）が面取りされていることを特徴とする、食材収容箱体。
箱体：
対向する２つの主壁（１０）を、左右の側壁（３０）と底壁（４０）と天壁で連結して構成され、２つの主壁（１０）および左右の側壁（３０）を周回する破断開封部（８０）を有する箱体であって、
（ｉ）左右の側壁（３０）には、
箱体底辺（Ａ）と平行に側壁折罫（３１）が形成され、
（ii）各主壁（１０）には、
側壁折罫（３１）の端部から箱体底辺（Ａ）に平行に内方に延びる、左右２つの横折罫（１１）と、
各横折罫（１１）の内端から、箱体底辺（Ａ）に対して略垂直に上方へ延びるとともに、その上端（１５ａ）が上方に向かって２叉に分かれている垂直折罫（１５）と、
主壁の下方コーナ部（Ｂ）と横折罫（１１）の内端とを結ぶ、左右２つの傾斜折罫（２１）と、が形成され、
開封前は、２つの主壁（１０）間の間隔（Ｗ１）は、左右の側壁（３０）間の間隔（Ｗ２）よりも小さく、
上記破断開封部（８０）を破り開けた状態で、側壁折罫（３１）および横折罫（１１）を谷折り状態とし、垂直折罫（１５）および傾斜折罫（２１）を山折り状態として、左右の側壁（３０）を接近移動させると、２つの主壁（１０）間の間隔が拡がり、左右の側壁（３０）の間隔が狭くなる、箱体。
【請求項２】
上記箱体において、
開封前は、２つの主壁（１０）間の間隔（Ｗ１）は、左右の側壁（３０）間の間隔（Ｗ２）よりも小さいが、
２つの主壁（１０）間の間隔が拡がり、左右の側壁（３０）の間隔が狭くなった結果、２つの主壁（１０）間の間隔（Ｗ１’）が左右の側壁（３０）間の間隔（Ｗ２’）よりも大きくなることを特徴とする、請求項１記載の食材収容箱体。
【請求項３】
上記各主壁（１０）には、
左右の横折罫（１１）の内端を結ぶ中央折罫（１４、１４ａ、１４ｂ）が形成されている、請求項１または２記載の食材収容箱体。
【請求項４】
上記中央折罫（１４）は、上方に向かって膨出するように湾曲して延在している、請求項３記載の食材収容箱体。
【請求項５】
下方に向かって膨出するように湾曲して延在する別の中央折罫（１４ｂ）をさらに備える、請求項４記載の食材収容箱体。
【請求項６】
上記中央折罫（１４ａ）は、直線状に延在している、請求項３記載の食材収容箱体。
【発明の詳細な説明】
【技術分野】
【０００１】
本発明は、インスタント食品を封入したパウチを収容する箱体（外箱）に関する。
【背景技術】
【０００２】
例えば、電子レンジで加熱するだけで喫食できるインスタント食品（調理済みのカレーソース等）を収容したパウチを、さらに箱体内に保持して、これを箱ごと電子レンジに投入して調理するようにしたものが、従来から知られている。
【０００３】
パウチをさらに箱体内に保持する意味は、パウチだけでは自立性（スタンド特性）が不十分なので、これを補助するためである。パウチには、底部に襠部を設けて自立性を高めたものも存在するが、それでも、パウチ単体では自立性が十分とは言えない。パウチは、電子レンジに投入する前に破袋を防ぐために袋の一部を開封しておいたり、内圧によってシール部が後退して蒸気が放出される蒸気排出部を有しているので、もしパウチが倒れると、内容物の流出や、レンジ内を汚すといった問題が生じる。
そのような問題を防ぐため、箱体を利用してパウチの自立性を高めている。
【０００４】
特許文献１に開示された箱体では、箱本体の背面に支柱のごとき支持構造体を設けており、そのため、箱体を構成するブランクが複雑となり、コストアップを招く。また、これを使用する消費者にとっても、煩雑な組み立て工程が必要となって、煩わしい。
【０００５】
一方、特許文献２には、箱体の底部付近において側壁を内部に押し込むことで、箱体の底部が拡がり、これにより自立性を高めることのできる箱体が開示されている。しかし、この箱体では、電子レンジでの加熱調理時におけるパウチの自立性は確保されるものの、箱体の上方開口周辺部は依然としてパウチを幅狭の状態に挟持している。すなわち、加熱後に喫食するにあたって、パウチ内の食材を皿や丼鉢等、他の食器類に移し代える必要がある。
【先行技術文献】
【特許文献】
【０００６】
【特許文献１】特開平１１-２４０５８２号公報
【特許文献２】特開２００２-１２２７４号公報
【発明の概要】
【発明が解決しようとする課題】
【０００７】
上記従来の事情に鑑み、本発明の目的は、パウチを収容する箱体であって、パウチ内の食材を他の食器に移し代えることなく、パウチをそのまま箱体内に保持したまま喫食を可能とする箱体を提供することである。
【課題を解決するための手段】
【０００８】
本発明の箱体は、対向する２つの主壁を、左右の側壁と底壁と天壁で連結して構成され、２つの主壁および左右の側壁を周回する破断開封部を有する。
【０００９】
左右の側壁には、箱体底辺と平行に側壁折罫が形成されている。
【００１０】
各主壁には、「横折罫」、「垂直折罫」、「傾斜折罫」が形成されている。
「横折罫」は、側壁折罫の端部から箱体底辺に平行に内方に延びていて、左右に２つ存在している。
「垂直折罫」は、各横折罫の内端から、箱体底辺に対して略垂直に上方へ延びている。
「傾斜折罫」は、主壁の下方コーナ部と横折罫の内端とを結んで延びていて、左右に２つ存在している。
【００１１】
開封前は、２つの主壁（１０）間の間隔（Ｗ１）は、左右の側壁（３０）間の間隔（Ｗ２）よりも小さい。そして、破断開封部を破り開けた状態で、側壁折罫および横折罫を谷折り状態とし、垂直折罫および傾斜折罫を山折り状態として、左右の側壁（３０）を接近移動させると、２つの主壁間の間隔が拡がり、左右の側壁の間隔が狭くなる。
【００１２】
本発明でいう“折罫”とは、これに沿って折り目を入れ易いようにライン状に強度を弱めた構成を意味する。代表的には、横断面で見たときに溝状に凹んだ構成（押し罫とも呼ばれる）であるが、その他にも、ミシン罫（ブランクを貫通する切込みを断続的にライン状に配置したもの）や、リード罫（ブランクを貫通する切込みと押し罫とを交互にライン状に配置したもの）等が含まれる。これらに限らず、ライン状に強度を弱めて折り易くした構成であれば、本発明でいう“折罫”に含まれる。
【００１３】
また、本発明により、食材を封入したパウチを上記箱体内に収容してなる食材収容箱体が提供される。パウチは、箱体内に収容されたときに箱体下方コーナ部に位置するパウチコーナ部が面取りされている。
【発明の効果】
【００１４】
上記構成を有する本発明の箱体においては、破断開封部を破って開口した状態において、左右の側壁を移動して互いに接近させると、２つの主壁間の距離が大きくなり、したがって、箱体の接地面積が大きくなって自立性が高まる。
また、この状態においては、箱体の上部開口は、長方形の底壁の長手方向に対して直交する方向に横長に開くので、特にパウチを箱体内に収容した状態において高い安定性を得ることができる。
したがって、食材を封入したパウチをこの箱体に収容して販売すれば、消費者は、箱体内にパウチを保持したまま、電子レンジに投入して加熱調理し、そのまま他の容器に移し代えることなく喫食できる。あるいは、調理が必要でない食材であれば、単にパウチを開封した上でこれを箱体に保持して、喫食することが可能となる。
【００１５】
また、本発明の食材収容箱体においては、上記箱体内に収容されるパウチの下方コーナ部が面取りされているので、箱体の左右の側壁を互いに接近するよう移動させるときに、パウチは、箱体内壁と干渉しにくくなり、よりスムーズに回転し易くなる。
これにより、消費者は少ない手順で簡単に、箱体を変形させることができる。また、このようなパウチの回転は、消費者が予期せぬ挙動であって、一種の遊び心を与え、販促効果が期待できる。
【図面の簡単な説明】
【００１６】
【図１】本発明の第１実施形態に係る箱体の下方斜視図。
【図２】図１の箱体の正面図。
【図３】図１の状態から箱体上部を破り開けた状態を示す斜視図。
【図４】図３の状態から、左右の側壁が互いに接近するよう各折罫に折り目を入れた状態を示す斜視図。
【図５】喫食状態を示す斜視図。
【図６】箱体内に収容されるパウチを説明する図。
【図７】箱体およびパウチの起立安定性を高める別例を示す図。
【発明を実施するための形態】
【００１７】
本発明の実施形態を添付の図面を参照して以下に詳細に説明する。図１は、本発明の一実施形態に係る箱体１００の下方斜視図である。図２は、箱体１００の正面図である。
【００１８】
≪箱体１００の構成≫
箱体は、対向する２つの主壁１０を、左右の側壁３０と底壁４０と天壁で連結して構成される６面体であって、代表的には、１枚のブランク紙から組み立てられる。主壁１０および側壁３０については、一方のみを図示しているが、反対側の主壁および側壁も同じ構成である。
また、天壁は図示していないが、紙箱の分野において一般に知られた通常の構成を有する。箱体は、２つの主壁１０および左右の側壁３０を周回する破断開封部８０を有しており、これを破り取って開封する。図示した例では、破断開封部８０は、対向する２つの破断線で囲まれた細長い領域を破り取るジッパとして構成されている。しかし、本発明においては、２つの主壁１０および左右の側壁３０を周回して開封できる構造であれば、適宜の構成を任意に採用できる。
【００１９】
箱体１００は、開封前においては、２つの主壁１０間の間隔Ｗ１は、左右の側壁３０間の間隔Ｗ２よりも小さい。詳しくは、後述するが、破断開封部８０を破り開けた後、左右の側壁３０が近づくように各罫線に折り目を入れると、２つの主壁１０が互いに離れるように遠ざかって、Ｗ１とＷ２の大小関係が逆転する。
【００２０】
次に、各壁面に設けた折罫について説明する。図１および図２に現れない反対側の主壁および側壁にも、以下に説明するのと同じ折罫が設けられている。
なお、“折罫”とは、これに沿って折り目を入れ易いようにライン状に強度を弱めた構成を意味する。代表的には、横断面で見たときに溝状に凹んだ構成（押し罫とも呼ばれる）であるが、その他にも、ミシン罫（ブランクを貫通する切込みを断続的にライン状に配置したもの）や、リード罫（ブランクを貫通する切込みと押し罫とを交互にライン状に配置したもの）等が含まれる。これらに限らず、ライン状に強度を弱めて折り易くした構成であれば、適宜の構成を採用することができる。
【００２１】
≪左右の側壁３０に設けた折罫≫
側壁３０には、箱体底辺Ａと平行に側壁折罫３１が形成されている（図１）。
【００２２】
≪対向する２つの主壁１０に設けた折罫≫
横折罫１１は、箱体底辺Ａに平行に、側壁折罫３１の端部から所定距離だけ内方に延びている。この横折罫１１は、左右２つ形成されている。
垂直折罫１５は、各横折罫１１の内端から、箱体底辺Ａに対して略垂直に上方へ延在している。ここで、“略垂直”とは次のことを意味する。すなわち、図示の例では、箱体底辺Ａに対して直角方向（９０°）に横折罫１１を形成しているが、完全に９０°である必要はなく、いずれかの方向に傾斜させてもよい。
また、各垂直折罫１５の上端１５ａは、図示したように、上方に向かって２叉に分かれていることが好ましい。
中央折罫１４は、左右の横折罫１１の内端を結んで延びている。図示した例では、中央折罫１４は、上方に膨出するアーチ状に湾曲しているが、直線状等、他の形状を採用することも可能である。また、詳しくは後述するが、この中央折罫１４は必ずしも必要ではなく、省略することも可能である。
傾斜折罫２１は、主壁１０の下方コーナ部Ｂと、横折罫１１の内端と、を結んで延在している。傾斜折罫２１は、左右２つ形成されている。
【００２３】
≪箱体使用時における各折罫の作用≫
次に、箱体１００の具体的な使用方法と、それに関連した各折罫の作用を説明する。
まず最初に、箱体１００の中央よりもやや上部に位置するジッパ部（破断開封部）８０を破り開ける。これにより、図３に示したように、内部のパウチＰの上部が部分的に露出する。
【００２４】
この後、図３中に矢印αで示したように、左右の側壁３０が互いに接近するように、各折罫に適宜の折り目を入れる。具体的には、側壁折罫３１および横折罫１１を谷折り状態とし、垂直折罫１５および傾斜折罫２１を山折り状態とする。
その結果、図４に示したように、２つの側壁３０は互いに接近し、２つの主壁１０は互いに遠ざかる。
【００２５】
図１に示したように、箱体１００の開封前は、２つの主壁１０間の間隔Ｗ１は、左右の側壁３０間の間隔Ｗ２よりも小さい。
しかし、左右の側壁３０が互いに近づくよう各折罫に折り目を入れた後では、図４に示すように、２つの主壁１０間の間隔Ｗ１’は、左右の側壁３０間の間隔Ｗ２’よりも大きくなる。すなわち、Ｗ１とＷ２の大小関係が逆転している。
この大小関係は、必ずしも逆転することが必要ではなく、単にＷ１とＷ２との差が小さくなるだけ、あるいは、Ｗ１’とＷ２’が等しくてもよい。
【００２６】
いずれの場合でも、主壁間の間隔Ｗ１’が大きくなることにより、箱体１００の接地面積が大きくなり、箱体１００の自立性が高まる。特に、長方形の底壁４０の長手方向に対して、直交する方向にパウチが保持されることで、高い安定性を得ることができる。
【００２７】
≪パウチの回転≫
なお、図３および図４に示した箱体１００の変形は、パウチＰを箱体に収納したまま行ってもよいし、パウチＰを一旦取り出して行ってもよい。
パウチＰを箱体に収容したまま箱体１００を変形させた場合には、変形操作に伴って、パウチＰは箱体１００内で９０°回転する（矢印β）。この回転をスムーズに行うため、詳しくは後述するように、パウチＰの底部コーナ部Ｃに面取りが施される。面取りが存在することによって、パウチＰは、箱体１００の変形に伴って自動的に、あるいは消費者の手を借りて、９０°回転する。
【００２８】
このようにして、消費者は、少ない手順で簡単に、図１の購入初期状態から図４の調理状態、あるいは図５の喫食状態まで移行することができる。また、パウチＰが箱体内で自動的（あるいは半自動的）に回転する上記構成は、消費者にとって予期せぬパウチＰの挙動を与えるもので、一種の遊び心を与え、販促効果が期待できる。
【００２９】
図４、５から分かるように、中央折罫１４は、ここに折り目が入ることによって、箱体１００が大きく開口した状態をより安定して維持する機能を有する。しかし、左右の側壁３０を互いに近づけることで、仮に中央折罫１４が存在しない場合であっても、主壁１０の壁面は自然に湾曲することが可能である。また、食材を封入したパウチＰの重量によっても、箱体１００の開口状態は維持される。したがって、中央折罫１４は省略することも可能である。
【００３０】
図示した例では、主壁１０に形成した垂直折罫１５は、その上端１５ａが上方に向かって２叉に分かれている。この構成により、開封状態にある箱体１００の上部開口は、より滑らかなアールを描いて開口することとなる（図５）。この２叉構成は省略してもよい。
【００３１】
≪パウチの形態≫
図６は、箱体１００に収容されるパウチＰの一例を示している。図示したパウチＰは、底部に襠部６０が設けられて、それ自体が自立性を有するスタンディングタイプのパウチである。
本発明の箱体１００に収容するパウチＰは、底部コーナ部Ｃに面取りを施しておくことが好ましい。面取りＣが存在することによって、図３〜図４に示した工程におけるパウチＰの回転がスムーズになる。すなわち、仮に、面取りＣを設けずにパウチＰの下方コーナ部が９０°に構成されていたとすると、箱体１００内でパウチＰが回転しようとするときに、当該９０°のコーナ部が箱体１００の内壁と干渉して、スムーズな回転を妨げてしまう。
本願発明では、そのような干渉を防止し、スムーズな回転を実現するために、パウチＰの底部コーナ部Ｃに面取りを施している。面取りは、図示したような円形の面取りだけに限らず、コーナ部を斜め直線状に切り落としたものであってもよい。
【００３２】
また、図示の例では、パウチＰはスタンディングタイプであるが、必ずしもそのような必要はなく、対向する２つのシート壁の４辺をシールした自立性のないパウチ等、適宜のパウチを採用することができる。
【００３３】
≪箱体の用途≫
本発明の箱体１００は、食材を封入したパウチＰを収容して、当該パウチの自立性を補助する。一例として、パウチＰが電子レンジで加熱調理する食材を封入している場合であれば、パウチＰを部分的に開封した状態で保持し、図４に示したように箱体ごと電子レンジに投入して加熱調理する。加熱終了後、パウチＰを箱体１００に入れたまま、さらに大きく開封し、これを喫食することができる（図５）。勿論、加熱調理後に他の皿や丼鉢等に移し代えて喫食することも可能である。
また、別例として、電子レンジによる調理とは無関係な用途に使用することも可能である。例えば、牛乳をかけて喫食するシリアル食品をパウチＰ内に封入し、これを箱体１００に入れて販売する。消費者は、図５に示したように、開封状態にあるパウチＰを箱体１００内に保持し、ここに牛乳を注ぎ込んだ後で喫食する。
【００３４】
≪箱体の別例１：図７ｂ≫
図１〜図６に示した実施形態では、主壁１０に形成した中央折罫１４は上方に膨出するアーチ状とされている。前述した通り、中央折罫１４は必ずしもアーチ状である必要はなく、例えば直線状であってもよい。直線状の中央折罫１４ａを採用した場合のメリットを図７を参照して説明する。
図７（ａ）はアーチ状の中央折罫１４を採用した場合を、図７（ｂ）は、これとの比較において、直線状の中央折罫１４ａを採用した場合を、それぞれ示している。
【００３５】
中央折罫１４がアーチ状である場合、図５に示した使用状態において中央折罫１４に対応するラインが上方に湾曲しているが故に、設置面（テーブル表面、その他）に対して、僅かな隙間“Ｓ”ができる。図７（ａ）は、その隙間“Ｓ”を誇張して描いている。この隙間“Ｓ”は、実際には僅かであって、箱体１００およびパウチＰの安定性という意味で、それほど問題とはならないが、それでも隙間“Ｓ”が存在しない方が望ましいと言える。
【００３６】
図７（ｂ）は、直線状の中央折罫１４ａを採用した場合を示しており、隙間“Ｓ”が存在しないことを図示している。すなわち、箱体１００およびパウチＰの起立安定性がより高められている。
【００３７】
≪箱体の別例２：図７ｃ≫
図７（ｃ）は、箱体のさらに別例を示している。この例では、上方に膨出するアーチ状の中央折罫１４に加えて、さらに追加的に、下方に膨出する第２中央折罫１４ｂを設けている。この場合も、図７（ｂ）の直線状の中央折罫１４ａを採用した場合と同様に、隙間“Ｓ”が存在しないことが分かる。
【００３８】
いずれの構成例においても、既に説明した通り、“折罫”とは、押し罫、ミシン罫、リード罫、その他の「ライン状に強度を弱めて折り易くした構成」が含まれる。
【符号の説明】
【００３９】
１０  主壁
１１  横折罫
１４、１４ａ、１４ｂ  中央折罫
１５  垂直折罫
１５ａ  ２叉に分かれた上端
２１  傾斜折罫
３０  側壁
３１  側壁折罫
４０  底壁
６０  襠部
８０  破断開封部
１００  箱体
【図１】
0005337507.tif 000002
【図２】
0005337507.tif 000003
【図３】
0005337507.tif 000004
【図４】
0005337507.tif 000005
【図５】
0005337507.tif 000006
【図６】
0005337507.tif 000007
【図７】
0005337507.tif 000008